(57)【要約】【課題】画像処理のための画像奥行きの指定技術に関し、画像の奥行きをより簡単に指定可能とする。【解決手段】  分割度指定部１０１は、ユーザに入力画像１２０の分割度を指定させる。画像分割部１０２は、ユーザが指定した分割度で入力画像を複数の分割領域に分割する。画像表示部１０３は、分割された入力画像１２０を表示する。奥行き指定部１０４は、表示された入力画像１２０上で、ユーザに分割領域を選択させながら奥行きを指定させる。傾き指定部１０５は、ユーザに表示された入力画像１２０に対して水平方向の傾きと垂直方向の傾きを指定させる。画像加工部１０６は、入力画像１２０に、ユーザが指定した水平方向の傾きと垂直方向の傾きと、ユーザが指定した分割領域単位の奥行きに対応する奥行き効果を付加し、画像表示部１０３で再度表示させる。【選択図】図１
2015103960.tif 000002
【特許請求の範囲】
【請求項１】
２次元の入力画像から３次元的な出力画像を生成するために前記入力画像上で奥行きを指定するための方法であって、
前記入力画像を複数の分割領域に分割する画像分割ステップと、
当該分割された入力画像を表示する画像表示ステップと、
前記表示された入力画像上で、ユーザに前記分割領域を選択させながら奥行きを指定させる奥行き指定ステップと、
をコンピュータに実行させるための画像奥行き指定方法。
【請求項２】
前記画像分割ステップは、ユーザに前記入力画像の分割度を指定させる分割度指定ステップを含むことを特徴とする請求項１記載の画像奥行き指定方法。
【請求項３】
前記画像分割ステップにおいて、スーパーピクセルのセグメント化処理を実行することを特徴とする請求項１または２記載の画像奥行き指定方法。
【請求項４】
前記奥行き指定ステップにおいて、ユーザが奥行きを指定した際に選択した前記分割領域をすべてその奥行きに指定する処理を実行することを特徴とする請求項１乃至３いずれかに記載の画像の奥行き指定方法。
【請求項５】
ユーザに前記表示された入力画像に対して傾きを指定させる傾き指定ステップと、
前記入力画像に、前記ユーザが指定した傾きと、前記ユーザが指定した前記分割領域単位の奥行きに対応する奥行き効果を付加し、前記画像表示ステップで表示させる画像加工ステップと、
をさらに前記コンピュータに実行させるための請求項１乃至３いずれかに記載の画像奥行き指定方法。
【請求項６】
前記傾き指定ステップは、水平方向の傾き又は垂直方向の傾きの指定をユーザに行わせることを特徴とする請求項５記載の画像奥行き指定方法。
【請求項７】
２次元の入力画像から３次元的な出力画像を生成するために前記入力画像上で奥行きを指定するためのプログラムであって、
前記入力画像を複数の分割領域に分割する画像分割ステップと、
当該分割された入力画像を表示する分割画像表示ステップと、
前記表示された入力画像上で、前記ユーザに前記分割領域を選択させながら奥行きを指定させる奥行き指定ステップと、
をコンピュータに実行させるための画像奥行き指定プログラム。
【請求項８】
２次元の入力画像から３次元的な出力画像を生成するために前記入力画像上で奥行きを指定するための装置であって、
前記入力画像を複数の分割領域に分割する画像分割部と、
当該分割された入力画像を表示する分割画像表示部と、
前記表示された入力画像上で、前記ユーザに前記分割領域を選択させながら奥行きを指定させる奥行き指定部と、
を備えることを特徴とする画像奥行き指定装置。
【請求項９】
前記画像分割部は、ユーザに前記入力画像の分割度を指定させる分割度指定部を含むことを特徴とする請求項８記載の画像奥行き指定装置。
【発明の詳細な説明】
【技術分野】
【０００１】
本発明は、立体感のある画像を扱う画像処理のための画像奥行きの指定方法、プログラム、および装置に関する。
【背景技術】
【０００２】
２次元の絵や写真（以下これを「２Ｄ画像」と呼ぶ）などから３次元的な立体感のある画像（以下これを「３Ｄ画像」と呼ぶ）を生成する技術がある。
３Ｄ画像を製作するには大きく２つの方法があり、２台のカメラを用いて右眼画像と左眼画像を同時に撮影する方法と、１台のカメラで撮影された２Ｄ画像を後に編集して視差画像を生成する方法がある。本発明は後者の方法に関するものであり、２Ｄ３Ｄ変換技術に関するものである。
【０００３】
２次元画像から３Ｄモデルを構築する問題は、コンピュータビジョンの文献で非常に大きな注目を受けてきた。この概要については、Ｋｕｔｕｌａｋｏｓ等著「Ａ  ｔｈｅｏｒｙ  ｏｆ  ｓｈａｐｅ  ｂｙ  ｓｐａｃｅ  ｃａｒｖｉｎｇ」Ｉｎｔｌ．  Ｊｏｕｒｎａｌ  ｏｆ  Ｃｏｍｐｕｔｅｒ  Ｖｉｓｉｏｎ  Ｖｏｌ．３８：３，  ｐｐ．１９９−２１８，２０００に記載されている。
【０００４】
ほとんどの従来技術のコンピュータビジョンの方法は、ユーザがほとんど又はまったく介入することなく、シーンを自動的に復元することに重点を置いてきた。その結果、コンピュータビジョンの方法は、シーンの幾何学的配列および反射率について事前に仮定を行う。これらの仮定は、正しくないことが多い。
【０００５】
従って２Ｄ画像から自動的にユーザの希望する３Ｄ画像を生成することは難しいため、ユーザが変換過程を見ながらコンピュータに順次指示を与えていくことが一般的である。
【０００６】
３Ｄ画像を生成する際に必要な技術として、セグメント化と奥行き（レイヤー、デプスともいう）がある。
【０００７】
３Ｄ画像を生成する際のセグメント化には、スーパーピクセルのセグメント化を行う手法がある。スーパーピクセルとは、一般にデジタル画像において、単一のピクセルよりも大きな多角形ピクセルラスタであり、同じ色及び明るさでレンダリングすることができる。スーパーピクセルを３Ｄ構築に用いる主な利点は、計算効率の向上であり、スーパーピクセル表現はピクセル表現と比較して必要とされる画像プリミティブの数を大幅に削減する。
【０００８】
スーパーピクセルのセグメント化を３Ｄ画像生成に応用とした例として、クラスタリング目的関数を用いて、画像をスーパーピクセルにセグメント化する技術が知られている（例えば特許文献１に記載の技術）。この目的関数は、２つの構成要素、すなわち、ランダムウォークのエントロピーレート（ｅｎｔｒｏｐｙ  ｒａｔｅ  ｏｆ  ｒａｎｄｏｍ  ｗａｌｋ）と、バランス関数（ｂａｌａｎｃｉｎｇ  ｆｕｎｃｔｉｏｎ）とを含む。エントロピーレートは、コンパクトで一様な（ｈｏｍｏｇｅｎｅｏｕｓ）クラスタを形成する一方、バランス関数は、同様のサイズを有するクラスタを生成する。クラスタリングについて、データ点（ｄａｔａ  ｐｏｉｎｔ）が頂点に対応し、ペアワイズ類似度（ｐａｉｒ−ｗｉｓｅ  ｓｉｍｉｌａｒｉｔｉｅｓ）が枝重み（ｅｄｇｅ  ｗｅｉｇｈｔｓ）に対応するグラフを構築する。マトロイド制約を条件として、目的関数を最大にすることによってグラフを分割する。
【０００９】
また、奥行きに関して、以下の技術が知られている（例えば特許文献２に記載の技術）。この技術では、３次元テレビジョン（３ＤＴＶ）や自由視点映像（ＦＶＶ）など、新たな映像の応用を促進するために、従来の２Ｄ映像と奥行きマップの両方を含む３Ｄ映像（３ＤＶ）データ・フォーマットを利用して、ユーザ・エンドで追加ビューを描画することができるようにすることができる。このような３ＤＶフォーマットの例としては、２次元（２Ｄ）映像とそれに対応する奥行きマップとを含む、２Ｄプラス・デプス（２Ｄ＋Ｚ）や、２Ｄ＋Ｚと隠蔽（ｏｃｃｌｕｓｉｏｎ）映像に隠蔽奥行きを加えたものとを含む、レイヤ・デプス・ビデオ（Ｌａｙｅｒｅｄ  Ｄｅｐｔｈ  Ｖｉｄｅｏ）（ＬＤＶ）などがある。一般的な態様によれば、３次元映像（３ＤＶ）レイヤ間のレイヤ間依存関係構造を示すシンタックス要素が生成される。上記レイヤ間依存関係構造に基づいて、上記３ＤＶレイヤのうちのレイヤから、ピクチャについてのレイヤ間参照が識別される。上記ピクチャは、少なくとも部分的には上記レイヤ間参照に基づいて、符号化される。
【００１０】
更に奥行き（デプス）に関して、以下の技術が知られている（例えば特許文献３に記載の技術）、この技術は、２Ｄ画像から３Ｄ画像を生成する際に、製作者の手間を軽減しつつ高品質な３Ｄ画像を生成できる技術を提供ことを目的とするものであり、入力画像とデプスモデルをもとに、前記入力画像のデプスマップを生成するステップと、生成されたデプスマップを加工するステップと、前記入力画像、及び加工されたデプスマップをもとに、別視点の画像を生成するステップと、を備える。前記デプスマップを加工するステップは、外部設定される複数のマスクパターンにより指定される画面内の複数の領域ごとに、前記デプスマップのゲインを個別にグラデーション処理する。
【先行技術文献】
【特許文献】
【００１１】
【特許文献１】特開２０１２−２３４５２８号公報
【特許文献２】特表２０１２−５２５７６９号公報
【特許文献３】特開２０１３−１５６９５７号公報
【発明の概要】
【発明が解決しようとする課題】
【００１２】
しかしながら、上述の従来技術は、分割度の理論と奥行き（レイヤー構造）の理論を説明しているだけで、具体的なユーザインタフェースは示されていない。
【００１３】
さらに従来は、手動指定にて分割度や奥行きを指定するインタフェースがなかった。
【００１４】
本発明は、画像の奥行きを簡単に指定可能とすることを目的とする。
【課題を解決するための手段】
【００１５】
態様の一例では、２次元の入力画像から３次元的な出力画像を生成するために入力画像上で奥行きを指定するための方法であって、入力画像を複数の分割領域に分割する画像分割ステップと、その分割された入力画像を表示する画像表示ステップと、表示された入力画像上で、ユーザに分割領域を選択させながら奥行きを指定させる奥行き指定ステップと、をコンピュータに実行させる。
【発明の効果】
【００１６】
本発明によれば、画像の奥行きを簡単に指定することが可能となる。
【図面の簡単な説明】
【００１７】
【図１】本発明の一実施形態の機能ブロック図である。
【図２】本発明の一実施形態を実現可能なコンピュータのハードウェア構成例を示す図である。
【図３】本発明の一実施形態のユーザインタフェース例を示す図である。
【図４】本発明の一実施形態の動作説明図（その１）である。
【図５】本発明の一実施形態の動作説明図（その２）である。
【図６】本発明の一実施形態の動作説明図（その３）である。
【発明を実施するための形態】
【００１８】
以下、本発明を実施するための形態について図面を参照しながら詳細に説明する。図１は、本発明の一実施形態の機能ブロック図である。本実施形態は、２次元の入力画像１２０から３次元的な出力画像１３０を生成するために、入力画像１２０上で奥行きを指定するための奥行き指定装置１００である。
【００１９】
分割度指定部１０１は、ユーザに入力画像１２０の分割度を指定させる。
【００２０】
画像分割部１０２は、ユーザが指定した分割度で入力画像を複数の分割領域に分割する。複数の分割領域は、例えばスーパーピクセルのセグメント化処理によって算出される。
【００２１】
画像表示部１０３は、分割された入力画像１２０を表示する。
【００２２】
奥行き指定部１０４は、表示された入力画像１２０上で、ユーザに分割領域を選択させながら奥行きを指定させる。
【００２３】
傾き指定部１０５は、ユーザに表示された入力画像１２０に対して、例えば水平方向の傾きと垂直方向の傾きを、例えばスライドバーによって指定させる。
【００２４】
画像加工部１０６は、入力画像１２０に、ユーザが指定した傾き、例えば水平方向の傾きと垂直方向の傾きと、ユーザが指定した分割領域単位の奥行きに対応する奥行き効果を付加し、画像表示部１０３で表示させる。画像加工部１０６で３Ｄ画像１３０を作成する。本実施形態は、２Ｄから３Ｄ画像を作成する際の画像の奥行きを指定するためのユーザインタフェースの方法を示すものであるので、３Ｄ画像の作成方法そのものについては説明を省略している。
【００２５】
図２は、本発明の一実施形態を実現可能なコンピュータのハードウェア構成例を示す図である。
【００２６】
図２に示されるコンピュータは、ＣＰＵ２０１、ＲＯＭ（Ｒｅａｄ  Ｏｎｌｙ  Ｍｅｍｏｒｙ：読出し専用メモリ）２０２、ＲＡＭ（Ｒａｎｄｏｍ  Ａｃｃｅｓｓ  Ｍｅｍｏｒｙ）２０３、入力装置２０４、出力装置２０５、外部記憶装置２０６、通信インタフェース２０７、および可搬記録媒体２０９が挿入される可搬記録媒体駆動装置２０８を有し、これらがバス２１０によって相互に接続された構成を有する。同図に示される構成は上記システムを実現できるコンピュータの一例であり、そのようなコンピュータはこの構成に限定されるものではない。
【００２７】
ＣＰＵ２０１は、当該コンピュータ全体の制御を行う。ＲＯＭ２０２は、奥行き指定処理プログラムが格納される記憶装置である。ＲＡＭ２０３は、上記プログラムの実行、画像データの更新等の際に、上記プログラム又はデータを一時的に格納する読み書き可能メモリである。ＣＵＰ２０１は、プログラムをＲＯＭ２０２または外部記憶装置４０７からＲＡＭ２０３に読み出して実行することにより、本実施形態の奥行き指定装置１００の全体の制御を行う。
【００２８】
入力装置２０４は、ユーザによるキーボードやマウス等による入力操作を検出し、その検出結果をＣＰＵ２０１に通知する。ユーザは、入力装置４０４を用いて、後述する奥行き指定等を行う。
【００２９】
出力装置２０５は、ＣＰＵ２０１の制御によって、外部記憶装置２０６中の入力画像１２０や出力画像１３０を、ディスプレイ表示装置や印刷装置に出力する。
【００３０】
外部記憶装置２０６は、例えばハードディスク記憶装置であり、入力画像１２０や出力画像１３０、その他各種データの保存に用いられる。
【００３１】
可搬記録媒体駆動装置２０８は、光ディスクやＳＤＲＡＭ、コンパクトフラッシュ等の可搬記録媒体２０９を収容するもので、外部記憶装置２０６の補助の役割を有する。
【００３２】
通信インタフェース２０７は、例えばＬＡＮ（ローカルエリアネットワーク）又はＷＡＮ（ワイドエリアネットワーク）の通信回線を接続するための装置である。
【００３３】
本実施形態によるシステムは、図１の各機能部の機能を搭載したプログラムをＣＰＵ２０１が実行することで実現される。そのプログラムは、例えば外部記憶装置２０６や可搬記録媒体２０９に記録して配布してもよく、或いはネットワーク接続装置２０７によりネットワークから取得できるようにしてもよい。
【００３４】
本実施形態における奥行き指定処理の詳細について、図１および図２の構成図と、図３のユーザインタフェースを示す図、および図４から図６の動作説明図に従って、以下に順次説明する。なお、随時図１または図２の各部分を参照するものとする。
【００３５】
図３は、図２の入力装置２０４および出力装置２０５を構成する本実施形態のユーザインタフェース例を示す図である。本実施形態のユーザインタフェースは、画像表示部１、３Ｄ画像表示時の水平角を決定するスライドバー２、３Ｄ画像表示時の垂直角を決定するスライドバー３、画像の分割度（分割領域数）を指示するスライドバー４、面選択５から構成されている。
【００３６】
ユーザが３Ｄ化をしたい入力画像１２０を選択した直後の初期状態が、図３である。このとき、画像表示部１には、選択された２Ｄ画像である入力画像１２０が表示されている。
【００３７】
ユーザが、分割度指示バー４を右へ移動させると、ＣＰＵ２０１は、画像分割部１０２の機能処理を実行する。その結果、図４（ａ）に示されるように、画像表示部１に表示された入力画像１２０に対して、白い分割線６によって複数に分割された分割領域が表示される。分割度指示バー４において、左端は分割数＝１を指定し、右端は分割数＝５００程度（最終的には１ピクセル単位でもよい）を指定する。画像分割部１０２による領域分割処理の機能としては、例えば特許文献１に記載のスーパーピクセルのセグメント化処理の手法を用いてよい。スーパーピクセルは個々の画素のＲＧＢ画素値等に基づいた分割手法で、個々の画素と比べて大域的な特徴をもつ。あるいは、画像分割部１０２の機能としては、下記文献に記載のＧｒａｐｈ  Ｃｕｔｓ法を用いて領域分割を行ってもよい。
【００３８】
Ｙ．Ｂｏｙｋｏｖ  ａｎｄ  Ｇ．Ｆｕｎｋａ−Ｌｅａ：“Ｉｎｔｅｒａｃｔｉｖｅ  Ｇｒａｐｈ  Ｃｕｔｓ  ｆｏｒ  Ｏｐｔｉｍａｌ  Ｂｏｕｎｄａｒｙ  ＆  Ｒｅｇｉｏｎ  Ｓｅｇｍｅｎｔａｔｉｏｎ  ｏｆ  Ｏｂｊｅｃｔｓ  ｉｎ  Ｎ−Ｄ  Ｉｍａｇｅｓ”，Ｐｒｏｃｅｅｄｉｎｇｓ  ｏｆ  “Ｉｎｔｅｒｎａｔｉｏｎ  Ｃｏｎｆｅｒｅｎｃｅ  ｏｎ  Ｃｏｍｐｕｔｅｒ  Ｖｉｓｉｏｎ”，Ｖａｎｃｏｕｖｅｒ，Ｃａｎａｄａ，ｖｏｌ．Ｉ，ｐ．１０５−１１２，Ｊｕｌｙ  ２００１．
【００３９】
スライドバー２および３は、図１の傾き指定部１０５の機能を実現する。ユーザが、水平角を決定するスライドバー２を操作すると、ＣＰＵ２０１は、図１の画像加工部１０６の機能処理を実行する。この結果、入力画像１２０が、斜め左または右から見た状態にされて、図４（ｂ）に例示されるように画像表示部１に表示される。スライドバー２は、中心が傾き角０、片方に移動させるとその移動量に応じて表示画像の傾き角が変化する。図４（ｂ）では、ある程度右に傾けられた状態が表示されている。スライドバー２をより右に動かせば、より右に傾いた画像が表示される。垂直角を決定するスライドバー３は、水平角を決定するスライドバー２と同様に、ＣＰＵ２０１が画像加工部１０６の機能処理を実行することにより、入力画像１２０が、斜め上または下から見た状態にされて、画像表示部１に表示される入力画像１２０の垂直傾き角を制御する。この傾きは、水平方向・垂直方向だけでなく、ぐるっと回転させて見えるようにしてもよい。
【００４０】
ユーザが、面選択５で面番号を選択すると、ＣＰＵ２０１は、図５（ａ）に例示されるように、カーソル７を表示する。面選択の番号は、その面に割り当てられる画像の奥行きを決定し、その番号が大きいほど手前側の面、番号が小さいほど奥側の面が指定される。一般に、背景用の画像は奥側、人物等の画像は手前側の面に割り当てられる。カーソル７は、選択された面番号や、分割度指示バー４の状態によって、色や大きさが変化する。例えば、分割数が多いほど細くなり、面番号に対応して異なる色が割り当てられている。図５（ａ）では、５面が選択可能となっており、面番号３が選択された状態が示されている。この状態におけるカーソル７は、太さが選択された分割数に応じた中間ぐらいの太さ、色は面番号３に割り当てられた灰色で、表示されている。
【００４１】
上述のカーソル７が表示された状態で、ユーザは、マウス等によってカーソル７を分割領域上でドラッグ移動させることができる。カーソル７がドラッグ移動された分割領域には、図５（ｂ）に示されるように、カーソル７の色と同じ色の軌跡が表示される。カーソル７で分割領域を指定することにより、指定された各分割領域の奥行きを等しくする。
【００４２】
上述した面選択５のユーザインタフェースとドラッグ可能なカーソル７のユーザインタフェースは、図１の奥行き指定部１００の機能を実現する。
【００４３】
以上のようにして、面選択５で選択された面番号に対応する奥行きで、カーソル７のドラッグ移動により分割領域が指定されると、ＣＰＵ２０１は、図１の画像加工部１０６の機能処理を実行することにより、入力画像１２０に対して、ユーザが指定した分割領域に対して、ユーザが指定した面番号（奥行き）に対応する奥行き効果を付加し、画像表示部１に表示する。この結果、ユーザが指定した分割領域は、飛び出すように画像表示部１に表示される。図５（ｂ）では、ユーザが、カーソル７を、８の軌跡に従って、人間の顔の付近の分割領域上をドラッグ移動させた状態が示されている。また、飛び出す処理が行われた場合には、軌跡８の左側に立体の断面が表示される。この断面は、カーソル７の色と同じ色で表示されることで、現在選択されている面番号をユーザが把握しやすくできる。これにより、指定された領域を視覚的に目立たせるために斜め方向からの３Ｄ画像を表示することができる効果が得られる。
【００４４】
図６（ａ）は、面選択５で面番号５が選択され、かつ分割度指示バー４で分割数がより細かく指定された状態が示されている。分割数が細かくなっているので、黒色の矢印で示されるカーソルが、細くなっている。細かい分割領域のドラッグには細いカーソルで微細に、大きい分割領域のドラッグには太いカーソルでおおざっぱに、ドラッグ移動が行いやすいように制御される。第５面の面番号が選択されているので、カーソル色は第５面に割り当てられた色に制御される。図６（ｂ）には、カーソルがドラッグ移動させられた後の状態が示されている。人物の肩部分の黒色の細い軌跡が、カーソルがドラッグ移動された部分である。
【００４５】
以上の作業をユーザが繰り返すことにより、３Ｄ画像を生成することが可能となる。本実施形態では、２次元の表示画面上に３次元風に３Ｄ画像を表示させているが、３Ｄ画像は実際に奥行きデータを持っているので、これを３Ｄプリンタ等を用いて物理的に盛り上がりのある３Ｄ画像を印刷することができる。
【００４６】
以上、大局的、局所的選択がしやすいように、分割度（細かさ）指定ができる点、凹凸状態がわかりやすいように、視点方向の変更（水平角、垂直角）ができる点、ユーザは自信の要求度（仕上がりの細かさ）に応じて、上記機能を用いて３Ｄマップの生成を行うことができ、要求度を満足するまで繰り返すことができる点について説明した。
これにより、本実施形態では、ユーザが指定した奥行面設定をする毎に、実際に３Ｄ画像が作成された状態を逐次表示させることで、ユーザが完成状態をイメージしやすくなり、奥行面設定を簡単に行うことが可能となる。
【００４７】
以上の各実施形態に関して、更に以下の付記を開示する。
（付記１）
２次元の入力画像から３次元的な出力画像を生成するために前記入力画像上で奥行きを指定するための方法であって、
前記入力画像を複数の分割領域に分割する画像分割ステップと、
当該分割された入力画像を表示する画像表示ステップと、
前記表示された入力画像上で、ユーザに前記分割領域を選択させながら奥行きを指定させる奥行き指定ステップと、
をコンピュータに実行させるための画像奥行き指定方法。
（付記２）
前記画像分割ステップは、ユーザに前記入力画像の分割度を指定させる分割度指定ステップを含むことを特徴とする付記１記載の画像奥行き指定方法。
（付記３）
前記画像分割ステップにおいて、スーパーピクセルのセグメント化処理を実行することを特徴とする付記１または２記載の画像奥行き指定方法。
（付記４）
前記奥行き指定ステップにおいて、ユーザが奥行きを指定した際に選択した前記分割領域をすべてその奥行きに指定する処理を実行することを特徴とする付記１乃至３いずれかに記載の画像の奥行き指定方法。
（付記５）
ユーザに前記表示された入力画像に対して傾きを指定させる傾き指定ステップと、
前記入力画像に、前記ユーザが指定した傾きと、前記ユーザが指定した前記分割領域単位の奥行きに対応する奥行き効果を付加し、前記画像表示ステップで表示させる画像加工ステップと、
をさらに前記コンピュータに実行させるための付記１乃至３いずれかに記載の画像奥行き指定方法。
（付記６）
前記傾き指定ステップは、水平方向の傾き又は垂直方向の傾きの指定をユーザに行わせることを特徴とする付記５記載の画像奥行き指定方法。
（付記７）
２次元の入力画像から３次元的な出力画像を生成するために前記入力画像上で奥行きを指定するためのプログラムであって、
前記入力画像を複数の分割領域に分割する画像分割ステップと、
当該分割された入力画像を表示する分割画像表示ステップと、
前記表示された入力画像上で、前記ユーザに前記分割領域を選択させながら奥行きを指定させる奥行き指定ステップと、
をコンピュータに実行させるための画像奥行き指定プログラム。
（付記８）
２次元の入力画像から３次元的な出力画像を生成するために前記入力画像上で奥行きを指定するための装置であって、
前記入力画像を複数の分割領域に分割する画像分割部と、
当該分割された入力画像を表示する分割画像表示部と、
前記表示された入力画像上で、前記ユーザに前記分割領域を選択させながら奥行きを指定させる奥行き指定部と、
を備えることを特徴とする画像奥行き指定装置。
（付記９）
前記画像分割部は、ユーザに前記入力画像の分割度を指定させる分割度指定部を含むことを特徴とする付記８記載の画像奥行き指定装置。
【符号の説明】
【００４８】
１  画像表示部
２  水平角を決定するスライドバー
３  垂直角を決定するスライドバー
４  分割度指示バー
５  面選択
６  分割領域の境界線
７  カーソル
８  ドラッグ移動の軌跡
１００  画像奥行指定装置
１０１  分割度指定部
１０２  画像分割部
１０３  画像表示部
１０４  奥行指定部
１０５  傾き指定部
１０６  画像加工部
１２０  入力画像
１３０  出力画像
２０１  ＣＰＵ
２０２  ＲＯＭ（リードオンリーメモリ）
２０３  ＲＡＭ（ランダムアクセスメモリ）
２０４  入力装置
２０５  出力装置
２０６  外部記憶装置
２０７  通信インタフェース
２０８  可搬記録媒体駆動装置
２０９  可搬記録媒体
２１０  バス
【図１】
2015103960.tif 000003
【図２】
2015103960.tif 000004
【図３】
2015103960.tif 000005
【図４】
2015103960.tif 000006
【図５】
2015103960.tif 000007
【図６】
2015103960.tif 000008